(57)【要約】【課題】  遊技の内容が簡易に変更でき、よりセキュリティ性の高い遊技機を提供する。【解決手段】  前面扉に対し着脱可能な略方形箱形状の収納手段を、筐体の下パネルに有する箱形遊技機であって、収納手段は、密閉構造であり、内部にリール部と、主制御部と、前面扉側面及び前記筐体に取り付けるための取付部を有する。また、収納手段の表面は、着脱可能な透明部材で構成される。【選択図】  図１
2005081001.tif 000002
【特許請求の範囲】
【請求項１】
前面扉に対し着脱可能な略方形箱形状の収納手段を、筐体の下パネルに有する箱形遊技機であって、
前記収納手段は、密閉構造であり、内部にリール部と、主制御部とを備えることを特徴とする箱形遊技機。
【請求項２】
前記収納手段は、前記前面扉側面及び前記筐体に取り付けるための取付部をさらに有することを特徴とする請求項１記載の箱形遊技機。
【請求項３】
前記収納手段は、着脱可能な透明部材で構成されることを特徴とする請求項１または２記載の箱形遊技機。
【請求項４】
前記リール部は、前記下パネルに取り付けられることを特徴とする請求項１記載の箱形遊技機。
【発明の詳細な説明】
【技術分野】
【０００１】
本発明は、下パネル構造を備えたスロットマシン又は弾球遊技機等の箱形遊技機に関する。
【背景技術】
【０００２】
現在のスロットマシンは主基板Assy、メインリール、及び遊技のコンセプトに沿ったデザインパネルが独立して設けられており、前面扉を開閉するだけでこれらの部品に簡易に触れる構造になっており、特に主基板は遊技機の主となる制御を行っていることから、主基板ケースを封印する等、主基板のセキュリティを高める工夫がなされている。
【０００３】
このような従来技術例として、主基板を保護するケースを主基板に着脱可能に取り付けることによって、制御基板の不正改造を未然に防止できる「遊技機用の基板ケース」がある（例えば、特許文献１参照）。また、リールユニット及び主制御装置を設置した交換ユニットを筐体から着脱可能にすることによって、交換作業及び通常の維持管理を容易にすることができる「分離型スロットマシン」がある（例えば、特許文献２参照）。
【特許文献１】特開平１１−０１９３１０号公報
【特許文献２】特開２００３−０４７６８５号公報
【発明の開示】
【発明が解決しようとする課題】
【０００４】
しかしながら、上記特許文献１記載の発明の形態は、遊技機の内容を変更する際の作業が大変煩雑であり、また、上記特許文献２記載の発明は、フロントドアを開けると主基板に簡単に触れることができてしまうのでセキュリティの点では依然として問題が残る。
【０００５】
本発明は、上記事情に鑑みてなされたものであり、遊技の内容が簡易に変更でき、よりセキュリティ性の高い下パネル構造を有する箱形遊技機を提供することを目的とする。
【課題を解決するための手段】
【０００６】
かかる目的を達成するために、請求項１記載の発明は、前面扉に対し着脱可能な略方形箱形状の収納手段を、筐体の下パネルに有する箱形遊技機であって、収納手段は、密閉構造であり、内部にリール部と、主制御部とを備えることを特徴とする。
【０００７】
請求項２記載の発明は、請求項１記載の発明において、収納手段は、前面扉側面及び筐体に取り付けるための取付部をさらに有することを特徴とする。
【０００８】
請求項３記載の発明は、請求項１または２記載の発明において、収納手段は、着脱可能な透明部材で構成されることを特徴とする。
【０００９】
請求項４記載の発明は、請求項１記載の発明において、リール部は、下パネルに取り付けられることを特徴とする。
【発明の効果】
【００１０】
本発明によれば、第１の効果として、下パネルAssyを前面扉に対し着脱可能な略方形箱型構造とし、メインリール及び主基板を収容固定することによって、遊技の内容を変更するときは下パネルAssyを変更するだけで大半の変更作業を終了させることができる。
【００１１】
また、第２の効果として、前面扉を開放しない限り下パネルAssyを着脱不可とし、装着時はブラックボックス構造とすることによって、前面扉を開けただけでは主基板に触れることができなくなり、主基板に対するセキュリティ向上を実現できる。
【００１２】
また、第３の効果として、下パネルAssyの一部に透明窓を設け、主基板本体を透明窓部分に設けることによって、前面扉を開ける必要なく主基板本体（特に主制御ＲＯＭ）の目視確認が可能となる。
【発明を実施するための最良の形態】
【００１３】
以下、本発明を実施するための最良の形態について、添付図面を参照して詳細に説明する。本発明に係る筐体構造を備えた遊技機の代表例として、スロットマシンＳＭを図１０及び図１１に示しており、まず、これらの図面を参照しながらスロットマシンＳＭの全体構造について説明する。ここで、図１０は、一般的なスロットマシンＳＭの外観斜視図であり、図１１は、上記スロットマシンＳＭの前面扉を開錠して開いた状態で内部構造を示す正面図である。
【００１４】
図１０に示すように、スロットマシンＳＭは、前面開口を有して箱状のキャビネットボックス２と、この前面開口を覆って開閉可能に取り付けられた前面扉（フロントマスク）３とからなる筐体１を有し、この筐体の各部に種々の遊技展開装置を配設して構成される。前面扉３は、キャビネットボックス２及び前面扉３の互いの左縁部に配設された上下のヒンジ機構（図示せず）により横開き可能に取り付けられ、常には右側縁に設けられた施錠装置４を利用してキャビネットボックス２に閉鎖施錠された状態で保持される。
【００１５】
前面扉３の表側について図１０を参照して説明する。図１０に示すように、前面扉３には、メダル投入口５、スタートレバー１１、回胴リール装置２００の各回胴リールＲ１、Ｒ２、Ｒ３に対応して設けられた停止ボタン１２、１３、１４、左右の上部スピーカＳＬ、ＳＲ及び下部スピーカＳＷ等が取り付けられている。前面扉３の前面中央の中部パネルには、回胴リール装置２００と位置整合して透視窓１０が配設されており、各回胴リールＲ１、Ｒ２、Ｒ３の円筒外周面に沿って描かれた多数の絵柄のうち所定の範囲（例えば、上下３つの絵柄の範囲）を遊技機正面から透視可能になっている。前面扉３の中央下部には、メダル払出口６が設けられているとともに、その下側に前方に突出する受け皿７が設けられており、ホッパ装置ＨＰから払い出された遊技メダルが、このメダル払出口６を通って受け皿７に受け止められ貯留されるようになっている。
【００１６】
前面扉３の裏側について図１１を参照して説明する。図１１に示すように、前面扉３の裏側上部には、スピーカＳＲ、ＳＬの間に演出表示装置８が設けられている。さらに、演出表示装置８の裏面側には、電気回路基板で形成されたサブ制御基板３００が取り付けられている。サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置８の裏面側に重なるようにして取り付けられている。
【００１７】
ここで、サブ制御基板３００は、遊技機に備えられたランプ、効果音や音楽等の音、及び演出画像の演出関係の制御を行う基板である。このサブ制御基板３００には、演出用スピーカＳＲ、ＳＬ、ＳＷと演出用ランプ１７、１８、１９と演出表示装置８がそれぞれ所定の配線ケーブル（図示せず）を介して配線接続されており、サブ制御基板３００に設けられている電気回路が、主制御基板７００からの指示に従ってこれら演出用スピーカＳＲ、ＳＬ、ＳＷと演出用ランプ１７、１８、１９と演出表示装置を駆動することにより、遊技者の視覚や聴覚に訴える演出を行うようになっている。
【００１８】
演出表示装置８とサブ制御基板３００の下方には、透視窓１０が形成された略長方形の枠体２０が取り付けられている。枠体２０の下方には、下部パネル９の裏側にあたり、メダル投入部５より投入される投入物を正規の遊技メダルか異物かを判別して振り分けるセレクト機構Ｇ０と、セレクト機構Ｇ０で振り分けられた遊技メダルをキャビネットボックス２側に設けられているホッパ装置ＨＰへ案内するガイド部材Ｇ１と、セレクト機構Ｇ０で振り分けられた異物をメダル払出口６へ案内するガイド部材Ｇ２と、ホッパ装置ＨＰから出力される払出し用の遊技メダルを払出口６へ案内するガイド部材Ｇ３が設けられ、さらにメダル払出口６の近傍に、放音部２１を構成するスピーカＳＷが取り付けられている。
【００１９】
次に、キャビネットボックス２の内部について説明する。図１１に示すように、キャビネットボックス２の内部は、左右の側板をつないで固定された棚板１５より大きく上下２段に分けられており、上段には、スロットマシンＳＭの作動を統括的に制御する主制御基板７００が透明樹脂製の基板ケースに収められて背板１６の上部にネジ固定され、円筒外周面に沿って多数の図柄が描かれた３つの回胴リールＲ１、Ｒ２、Ｒ３を回転・停止駆動する回胴リール装置２００が棚板１５の上面に支持されて取り付けられている。下段には、主制御基板７００からの指令信号により入賞状態に応じて遊技メダルの払出を行うホッパ装置ＨＰ、主制御基板７００や回胴リール装置２００等の各種遊技展開装置に電力を供給する電源装置基板５００、ホッパ装置ＨＰのメダル貯留部（図示せず）が満杯の状態でさらに遊技メダルが投入されたときにメダル貯留部からあふれ出た遊技メダルを貯留する補助貯留部ＳＨＰなどが取り付けられている。キャビネットボックス２内の下方には、主電源装置ＰＷＵが設けられている。この主電源装置ＰＷＵは、外部から入力される１００Ｖもしくは２４Ｖであり、各所定の電圧に変圧して各基板に供給される。
【００２０】
ここで、キャビネットボックス２内部の上部には、硬質プラスチックの収納ケース内に収納されたユニット構造である、主制御基板７００がスロットマシンＳＭの動作を統括するために設けられている。この主制御基板７００を中心として、サブ制御基板３００、中央表示基板４００、電源装置基板５００、回胴装置基板６００、外部集中端子基板８００がそれぞれ所定のケーブル（図示せず）を介して配線接続されている。
【００２１】
主制御基板７００には、半導体メモリＲＯＭ及びマイクロプロセッサＭＰＵ（ともに図示せず）が搭載されており、マイクロプロセッサＭＰＵが、半導体メモリＲＯＭに予め記憶されているシステムプログラムとスロットマシンゲーム用のプログラムを実行し、上記各基板３００、４００、５００、６００、８００を制御することによって、スロットマシンＳＭの動作状況とゲームの進行を統括管理している。具体的には、遊技機のメイン抽選、各リールの制御、入力スイッチ等の管理を行っている。
【００２２】
以上説明したように、キャビネットボックス２に取り付けられた遊技展開装置（２００、５００、７００、ＨＰ等）及び前面扉３に取り付けられた遊技展開装置（５、１１〜１４、ＳＬ、ＳＲ、ＳＷ等）は、図示省略するワイヤーハーネス（電気配線）により相互に接続され、スロットマシンＳＭが遊技可能に構成される。
【００２３】
このように構成されたスロットマシンＳＭでは、遊技者がメダル投入口５に遊技メダルを投入し、ベットボタンＢ１、Ｂ２、Ｂ３のいずれかを押下し、スタートレバー１１を操作すると、主制御基板７００は、このスタートレバー１１からの信号に基づいて起動指令信号を回胴リール装置２００に出力し、３つの回胴リールＲ１、Ｒ２、Ｒ３を同時に回転起動させる。遊技者は回転しているリールを任意に選択し、対応する停止ボタン１２、１３、１４を所望の順序およびタイミングで操作することができ、主制御基板７００はこれらの停止ボタンからの操作信号に応じて停止指令信号を回胴リール装置２００に出力し、対応する回胴リールの回転を制動停止させる。
【００２４】
回転していたリールＲ１、Ｒ２、Ｒ３が全て停止すると、主制御基板により入賞図柄の判定、すなわち当たりかはずれかの判定が行われる。主制御基板７００は停止後に透視窓１０に表示されている図柄について、投入した遊技メダルの枚数に応じた有効ライン（上・中・下３本の水平ライン及び左・右２本の斜めライン）上での入賞図柄の判定を行う。そして、有効ライン上の図柄の組み合わせが予め設定された入賞図柄の組み合わせに該当するときには、その入賞状態に応じた払出指令信号がホッパ装置ＨＰに出力され、ホッパ装置ＨＰから所定枚数の遊技メダルが払い出される。また、このとき上部スピーカＳＲ、ＳＬ及び下部スピーカＳＷから入賞に応じた効果音が発生される。
【００２５】
一方、入賞図柄の判定結果、有効ライン上の図柄の組み合わせが予め設定された入賞図柄の組み合わせに該当しなかったときには、遊技メダルの払い出しは行われず、投入した遊技メダルがホッパ装置ＨＰのメダル貯留部（図示せず）に収容される。このように、スロットマシンＳＭで遊技を行う遊技者は、表示された図柄が予め定められた組み合わせに該当しなかったときには投入した遊技メダルを失うが、表示された図柄が予め定められた組み合わせに該当しときには投入した枚数以上の遊技メダルを獲得しうることとなり、遊技メダルを増やすという興趣を楽しむことができる。
【００２６】
本発明の実施例の下パネル構造を有するスロットマシンについて、図１から図９及び図１２を参照して詳細に説明する。
【００２７】
図１は、操作台付スロットマシン１００の外観正面を示している。本実施例では、操作台２３が透過窓１０の下部に形成されており、下パネル９の内部には、前面扉３に着脱可能な下パネルAssy２７が取り付けられている（図３参照）。下パネルAssy２７は略方形の箱形形状であり、内部にはメインリールとなる小型のミニリール３０有するリールユニット２６（図６、７参照）、及び主制御基板７００を具備しており、密閉型のブラックボックス構造となっている。下パネル９の表面には上記透過窓１０と同様に小型透過窓４２が設けられ、リールユニット２６のミニリール３０が見えるようになっている。また、透過窓１０の内部にはメインリール装置の代わりに演出表示装置２８を備えている。
【００２８】
図２は、操作台付スロットマシン１００の前面扉を開錠して開いた状態で内部構成を示す正面図である。前面扉３の下パネル９の裏側は、上記下パネルAssy２７を取り付けるためのスペースがある。また、キャビネットボックス２内には主制御基板を設けておらず、メインリール装置である上述した回胴リール装置２００の代わりに演出表示装置２８が設けられている。この演出表示装置２８は、従来のスロットマシンの液晶表示装置８の機能を含むものであり、擬似リール表示やアニメ表示等、さらに多様多彩な演出を大画面で表示させることができる。
【００２９】
図３は、操作台付スロットマシン１００の側断面を示している。操作台２３の下方には下パネルAssy２７が着脱可能に取り付けられており、取付ネジをはずして図の矢印方向に引き出すことにより容易に取り出すことができる。
【００３０】
ここで、図３に示すようにキャビネットボックス２内部には、上述の演出表示装置２８の代わりとして、透視窓１０の裏側にメインリール装置とは別のリール装置である、演出用リール装置２５を配設してもよい。演出用リール装置２５は、メインリール装置では実行できない種々の動作、例えば、逆回転、高速回転、コマ送り回転等を行うことができる。
【００３１】
また、透視窓１０は、窓全体を１５インチの液晶画面とし、その液晶画面上に、多様なアニメーションやポリゴン等を使用した遊技に関する演出やデモ演出、当選頻度等の遊技台に関する記録・履歴情報等を表示させることができる。なお、本実施例では、表示手段として透視窓１０を液晶画面としているが、液晶画面の代わりにＣＲＴのような映像表示装置やＬＥＤ等の点表示器を多数配列した電気的表示装置を適用しても良いし、さらにはこれらの装置と液晶画面とを組み合わせたものを適用しても良い。
【００３２】
ここで、本実施例の操作台付スロットマシンについて上述のような構成にした理由を説明する。
現在一般的なスロットマシンは、通常、中パネルと呼ばれる透明板の裏面にメインリールが設けられ、メインリールの周辺位置には演出画像を表示するための演出表示装置が設けられており、この演出表示装置がゲームに対する遊技者の興趣を高めるために、メインリールでは表現できない多彩な演出表示を行っている。
通常、スロットマシンの遊技はほとんどのゲームがはずれであるので、大当たり以外の遊技は遊技者にとって退屈となりがちである。これを解消するため、内部抽選ではずれであっても、大当たりが期待できるような演出を演出表示装置で行うことがある。しかし、熟練した遊技者はメインリールの出目、リールのすべり等を見れば、上記演出が大当たりでないことを容易に判ってしまい、演出表示が無意味になりがちであった。
本発明の実施例であるスロットマシンの構成によれば、中パネル部や上パネル部に比較的大型な演出表示装置を備える一方で、メインリールを前面扉の下パネル部（操作部の下方）に設けることにより、遊技者は、遊技時にメインリールを確認しにくくなるので（確認するためには窮屈な体勢をとらなければならない）、遊技者の意識や注意を遊技機上方に備える演出表示装置へ向けることが可能となる。
【００３３】
ここで、図１２に示すように、ミニリール３０を遊技者が選択的に覆い隠せるように、例えば、小型透過窓４２の周りに平板等の覆い部材（図示せず）をスライドさせて収容できるような収容枠部材４３を設けたり（図１２（ａ））、また、覆い部材、例えば遊技説明小冊子４６を挟んで固定する、クリップ等の固定支持部材４４を設けたりしても良い（図１２（ｂ））。
このような構成にすることによって、遊技者は任意にメインリールの表示部分を覆い、メインリールを気にすることなく演出装置の演出画像に注目でき、さらに趣をおいて遊技を進行することができる。また、現在ほとんどのホールにおいて、遊技機の種類毎にゲーム内容や遊技方法を遊技者に説明するための遊技説明小冊子が備えられており、この遊技説明小冊子は通常見開いた大きさがＡ５版の大きさになっているので、図１２（ａ）に示す収容枠部材４３をＡ５版がちょうど収まる大きさにすれば、遊技者またはホール経営者がメインリール表示部を覆うための覆い部材を特に準備する必要なく、この遊技説明小冊子を用いることにより簡易に得明リールを覆い隠すことができる。
なお、収容枠部材４３及び固定支持部材４４は、ミニリールが下パネル以外に設けられたスロットマシンに備えることもできる。
【００３４】
次に、メインリール装置を備える下パネルAssy２７及びその取付構造について、図１及び図４〜図９を参照して説明する。
【００３５】
図４は、上述の下パネルAssy２７を取り付けたスロットマシンを真上から見た略断面を示している。
下パネルAssy２７は、前面扉の側面には工具で着脱できないリベット４７、筐体には工具で着脱できるネジ４８を用いて取り付けられる。取付部は、図５に示すように板金ブラケット等の前面扉取付部３７を使用する。前面扉取付部３７は、下パネルAssy２７の左右の上方と下方とに１つずつ設けられているが、取付個所や個数はこれに限られない。
リールユニット２６は、下パネルベース４８に対して、下パネル取付部２９を用いて取り付けられる。下パネルベース４８には下パネル側ネジ止め部３６が形成され、リールユニット２６の開口部の左右両側外縁部にはユニット側ネジ止め部３５が形成され、これらが相互に噛み合ってネジ４０でネジ止めされる。リールユニット２６が下パネルにネジ止めされた状態の正面外観は図１に示す。
【００３６】
また、図５に示すように、本実施例では、主基板をメインリールであるミニリールの背面に図示しない方法で取り付けることにより下パネルAssy２７の内部に格納する。よって、従来の一般的なスロットマシンでは、主制御基板７００が回胴リール装置２００を制御し、サブ制御基板３００が液晶表示装置８及びミニリール（図示せず）等を制御していたが、本実施例の操作台付スロットマシン１００は、主制御基板７００がリールユニット２６内のミニリール３０を制御し、サブ制御基板３００が演出用リール装置２５、演出表示装置２８、又は透視窓１０の１５インチ液晶画面を制御する。なお、主制御基板７００は、下パネルAssy２７の内部であれば取付場所はどこでも可能とする。
【００３７】
ここで、下パネルAssy２７の一部に透明板を設けることにより、下パネルAssy２７の内部を確認できる構成にしても良い。例えば、図９は透明板４１を下パネルAssy２７の内部側面に取り付ける場合を示しており、下パネルAssy２７の側面に透明板４１をスライド式に差し込むことによって、前面扉を開放せずに外部から下パネルAssy２７内部の状態を確認できるようにしたものである。なお、図９に示すように、透明ケースに収容された主制御基板７００の主制御ＲＯＭ５０が実装されている面を透明板４１に面するように配置するようにしてもよい。このような配置にすれば主制御ＲＯＭの目視確認が外部から極めて簡単に行えるようになる。また、図５のようにリールユニット２６の背面に主制御基板７００を具備する場合は、図２で示すように前面扉３の一部に透明部４９を設けても良い。なお、この４９透明部を設ける際は前面扉３の裏側からは開放、取り外し出来ない構造にするのが望ましい。
【００３８】
次に、リールユニット２６について説明する。図６に示すように、リールユニット２６は、外周の材質が樹脂であり、方形箱形状に形成されている。ユニットの左右両側の外縁部には下パネル取付部２９のユニット側ネジ止め部３５が形成されている。また、ユニット内部はメインリールであるミニリール３０がAssy化されており、ユニット上部の開口部からミニリール３０の図柄が見えるようになっている。なお、リールユニット２６は、図７に示すように、リールユニット下部３１とリールユニット上部３２が組み合うことにより形成され、ユニット内部にミニリール３０が装備される。
【００３９】
図８は、リールユニット２６の内部構造を示す側断面図である。リールユニット２６内には、ミニリール３０、ミニリール３０の回転動作を制御するステッピングモータ３４、遮光によりリールが１回転したことを検出するイニシャルセンサ３３、イニシャルセンサ３３を制御する、図示しないドライバ制御基板（リール制御基板）が配設されている。
【００４０】
以上説明したように、本実施例の下パネル構造及び遊技機によれば、下パネルAssyを前面扉に対し着脱可能な略方形箱型構造とし、メインリール及び主基板を収容固定することによって、遊技の内容を変更するときは下パネルAssyを変更するだけで大半の変更作業を終了させることができる。
また、前面扉を開放しない限り下パネルAssyを着脱不可とし、装着時はブラックボックス構造とすることによって、前面扉を開けただけでは主基板に触れることができなくなり、主基板に対するセキュリティ向上を実現できる。
また、下パネルAssyの一部に透明窓を設け、主基板本体を透明窓部分に設けることによって、前面扉を開ける必要なく主制御基板本体（特に主制御ＲＯＭ）の目視確認が可能となる。
【００４１】
なお、本実施例は操作台付スロットマシンを用いて説明したが、スロットマシン以外の箱形形状の遊技機、或いは弾球遊技機の下パネル機構に用いても良い。
【図面の簡単な説明】
【００４２】
【図１】本発明の実施例であるスロットマシンの外観を示す正面図である。
【図２】本発明のスロットマシンの筐体内部を示す側断面図である。
【図３】本発明の実施例であるスロットマシンの内部構造を示す側断面図である。
【図４】本発明の実施例であるスロットマシンの下パネル構造を示す断面図である。
【図５】本発明の実施例であるスロットマシンの下パネル構造を示す側断面図である。
【図６】本発明のスロットマシンに係るリールユニットの外観を示す斜視図である。
【図７】リールユニットの分解状態の外観を示す斜視図である。
【図８】リールユニットの内部構造を示す側断面図である。
【図９】本発明の実施例に係る下パネル構造の一例を示す側面図である。
【図１０】一般的なスロットマシンの外観を示す斜視図である。
【図１１】一般的なスロットマシンの内部構成を示す正面図である。
【図１２】下パネル構造の別実施例を示す外観斜視図である。
【符号の説明】
【００４３】
１    筐体
２    キャビネットボックス
３    前面扉（フロントマスク）
４    施錠装置
５    メダル投入口
６    メダル払出口
７    受け皿
８    液晶表示装置
９    下部パネル
１０    透視窓
１１    スタートレバー
１２、１３、１４    停止ボタン
１５    棚板
１６    背板
１７、１８、１９    演出用ランプ
２０    枠体
２１    放音部
２２    上パネル
２３    操作台
２５    演出用リール装置
２６    リールユニット
２７    下パネルAssy
２８    演出表示装置
２９    下パネル取付部
３０    ミニリール
３１    リールユニット下部
３２    リールユニット上部
３３    イニシャルセンサ
３４    ステッピングモータ
３５    ユニット側ネジ止め部
３６    下パネル側ネジ止め部
３７    前面扉取付部
３８    金具ブラケット
３９    下パネルベース
４０、４８    ネジ
４１    透明板
４２    小型透過窓
４３    収容枠部材
４４    固定支持部材
４５    リベット穴
４６    遊技説明小冊子
４７    リベット
４８    下パネルベース
４９    透明部
５０    主制御ＲＯＭ
１００    操作台付スロットマシン
２００    回胴リール装置
３００    サブ制御基板
４００    中央表示基板
５００    電源装置基板
６００    回胴装置基板
７００    主制御基板
８００    外部集中端子板
ＳＭ    スロットマシン
Ｂ１、Ｂ２、Ｂ３    ベットボタン
Ｒ１、Ｒ２、Ｒ３    回胴リール
ＨＰ    ホッパ装置
ＰＷＵ    主電源装置
ＢＱ    システム電源スイッチ
ＢＯ    設定スイッチ
ＳＨＰ    補助貯留部
ＳＲ、ＳＬ  上部スピーカ
ＳＷ    下部スピーカ
ＣＳ    設定ボタン
ＣＴ    設定表示素子
Ｇ０    セレクト機構
Ｇ１、Ｇ２、Ｇ３    ガイド部材
【図１】
2005081001.tif 000003
【図２】
2005081001.tif 000004
【図３】
2005081001.tif 000005
【図４】
2005081001.tif 000006
【図５】
2005081001.tif 000007
【図６】
2005081001.tif 000008
【図７】
2005081001.tif 000009
【図８】
2005081001.tif 000010
【図９】
2005081001.tif 000011
【図１０】
2005081001.tif 000012
【図１１】
2005081001.tif 000013
【図１２】
2005081001.tif 000014